(57)【要約】【課題】電力を削減するモードを有していて、センサの寿命を延長し、センサのリユースを可能とする。【解決手段】省エネルギのために電力を削減する省エネモードを持ち、省エネモードから復帰するためのトリガとなる復帰用センサを１つ以上有し、復帰用センサ以外のセンサ電源をＯＦＦする機能を有し、省エネモード時はそのモードであることを表示するＬＥＤ，ＬＣＤの表示手段を有していて、制御部によってモード切り替え制御がなされ、２つの指定時刻間は復帰用センサ電源をＯＦＦにして自動復帰を不可能にする、省エネモードとは異なるモードを有するようにする。【選択図】　　　　図４
2004012962.tif 000002
【特許請求の範囲】
【請求項１】
省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
２つの指定時刻間は復帰用センサ電源をＯＦＦにして自動復帰を不可能にする、省エネモードとは異なるモードを有することを特徴とする画像形成装置。
【請求項２】
前記指定時刻は操作部での操作により変更を可能とすることを特徴とする請求項１に記載の画像形成装置。
【請求項３】
指定時刻間を経過したときは、省エネモードに復帰し、前記復帰用センサを動作させることを特徴とする請求項１又は２に記載の画像形成装置。
【請求項４】
省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモードから一定時間以上ユーザのアクセスがない時に復帰用センサ電源をＯＦＦにして自動復帰を不可能にする、省エネモードとは異なるモードを有することを特徴とする画像形成装置。
【請求項５】
前記一定時間の設定は操作部での操作により変更を可能とすることを特徴とする請求項４に記載の画像形成装置。
【請求項６】
前記復帰用センサ電源をＯＦＦとしたときは、前記ＬＥＤ、ＬＣＤの表示手段もＯＦＦとすることを特徴とする請求項１〜５のいずれか１項に記載の画像形成装置。
【請求項７】
省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモード時には、復帰用センサの電源を短時間のＯＮ／ＯＦＦをくり返すことで応答性を落とし、復帰用センサ電源を間欠して動作させることを特徴とする画像形成装置。
【請求項８】
省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
２つの指定時刻間は復帰用センサの電源を短時間のＯＮ／ＯＦＦをくり返すことで応答性を落とし、復帰用センサ電源を間欠して動作させるモードを有することを特徴とする画像形成装置。
【請求項９】
前記指定時刻は操作部での操作により変更を可能とすることを特徴とする請求項８に記載の画像形成装置。
【請求項１０】
指定時刻間を経過したときは、省エネモードに復帰し、前記復帰用センサを動作させることを特徴とする請求項８又は９に記載の画像形成装置。
【請求項１１】
省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモードから一定時間以上ユーザのアクセスがない時に復帰用センサの電源を短時間のＯＮ／ＯＦＦをくり返すことで応答性を落とし、復帰用センサ電源を間欠して動作させるモードを有することを特徴とする画像形成装置。
【請求項１２】
前記一定時間の設定は操作部での操作により変更を可能とすることを特徴とする請求項１０に記載の画像形成装置。
【請求項１３】
前記復帰用センサの電源は複数のセンサを有する場合でも１つの電源制御回路で構成することを特徴とする請求項１〜１２のいずれか１項に記載の画像形成装置。
【請求項１４】
前記復帰用センサに応答があった場合にはブザー音又は表示光により状態を示すことを特徴とする請求項１〜１３のいずれか１項に記載の画像形成装置。
【発明の詳細な説明】
【０００１】
【発明の属する技術分野】
本発明は複写機等の画像形成装置に係わり、特に省エネルギのために電力を削減する省エネモードを有した画像形成装置に関する。
【０００２】
【従来の技術】
複写機等の画像形成装置では、省エネルギのために電力を削減する省エネモードを有したものが多い。省エネモードでは所定時間以上画像形成が行われなかったとき通常のプリント可能の状態から省エネモードへ移行する、省エネモードでは定着器を含めプリンタ部の不要部分への電力供給の遮断、或いは最低限の電源のみ通電することが行われる。
【０００３】
省エネモードからの復帰は、操作部にある省エネ釦をＯＮして復帰し、或いはユーザによる原稿セットの検出によって行われる。原稿セットの検出には自動原稿搬送装置（ＡＤＦ）での原稿載置台上に原稿が載置されたのを検知するフォトセンサや、プラテンの開閉を検知するフォトセンサ、或いは接触或いは近接を検知する人体検知センサによって行われる。これらの省エネモードから復帰に用いられるセンサは常時通電されて検知可能の状態とされている。また、省エネモードにあることを表示する発光ダイオード（ＬＥＤ）や液晶（ＬＣＤ）を用いた表示手段が操作部に設けられているときは、省エネモード中はＬＥＤやＬＣＤも通電されている。
【０００４】
【発明が解決しようとする課題】
センサ、例えばフォトセンサに用いられるＬＥＤや、操作部に表示手段として設けたＬＥＤやＬＣＤは通電時間が長いと特性劣化が発生する可能性がある。特にリユースを考えた場合には、通電時間の長いセンサやＬＥＤ、ＬＣＤ等については再使用することができない。
【０００５】
本発明はユーザがコピー動作を行って使用する可能性の少ない場合には復帰用として用いるセンサの電源をＯＦＦとし、或いは間欠動作により特性劣化が発生するのを防止するようにした画像形成装置を提供することを目的とする。
【０００６】
【課題を解決するための手段】
上記目的は下記の画像形成装置によって達成される。
【０００７】
１．　省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
２つの指定時刻間は復帰用センサ電源をＯＦＦにして自動復帰を不可能にする、省エネモードとは異なるモードを有することを特徴とする画像形成装置。
【０００８】
２．　省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモードから一定時間以上ユーザのアクセスがない時に復帰用センサ電源をＯＦＦにして自動復帰を不可能にする、省エネモードとは異なるモードを有することを特徴とする画像形成装置。
【０００９】
３．　省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモード時には、復帰用センサの電源を短時間のＯＮ／ＯＦＦをくり返すことで応答性を落とし、復帰用センサ電源を間欠して動作させることを特徴とする画像形成装置。
【００１０】
４．　省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
２つの指定時刻間は復帰用センサの電源を短時間のＯＮ／ＯＦＦをくり返すことで応答性を落とし、復帰用センサ電源を間欠して動作させるモードを有することを特徴とする画像形成装置。
【００１１】
５．　省エネルギのために電力を削減する省エネモードを持ち、省エネモードから復帰するためのトリガとなる復帰用センサを１つ以上有し、復帰用センサ以外のセンサは電源をＯＦＦする機能を有し、省エネモード時はそのモードであることを表示するＬＥＤ、ＬＣＤの表示手段を有していて、制御部によってモード切り替え制御がなされる画像形成装置において、
省エネモードから一定時間以上ユーザのアクセスがない時に復帰用センサの電源を短時間のＯＮ／ＯＦＦをくり返すことで応答性を落とし、復帰用センサ電源を間欠して動作させるモードを有することを特徴とする画像形成装置。
【００１２】
【発明の実施の形態】
（１）　本発明の説明に先立って、省エネモードを有していて、復帰用のセンサを設けた画像形成装置について、図１の断面図を用いて構成と作動について説明する。但し、本発明はこの構成に限定されるものではない。
【００１３】
図１において、１０はプリンタ部、２０は給紙搬送部、３０は反転搬送部、４０は自動原稿搬送装置、５０は原稿読み取り部である。自動原稿搬送装置４０の原稿載置台４１上にセットされた原稿Ｄはプリント時には１枚宛搬出され、原稿搬送ローラ４２によって原稿読み取り位置５１を定速度をもって通過する。原稿Ｄが片面原稿の場合には、原稿読み取り位置５１を通過したのち原稿排紙皿４３上に排出される。また原稿Ｄが両面原稿の場合には、原稿読み取り位置５１を通過したのち原稿反転路４４で反転し、反転した原稿Ｄは原稿搬送ローラ４２によって搬送されて、原稿読み取り部５１を通過したのち原稿排紙皿４３上に排出される。
【００１４】
原稿読み取り部５１を定速度をもって通過した原稿Ｄの原稿情報は原稿読み取り部５０に設けたＣＣＤ５２によって読み取られて、一旦メモリに記録される。
【００１５】
また自動原稿搬送装置４０は原稿台ガラス５３上に開閉可能となっていて、冊子等の原稿の場合には自動原稿搬送装置４０を開放し、原稿は原稿台ガラス５３上に載置され、原稿面は反射鏡を有した走査光学系５３によって走査が行われ、ＣＣＤ５２によって読み取られて、一旦メモリに記録される。
【００１６】
原稿載置台４１には原稿がセットされたのを検知するフォトセンサＲＳ１が設けられていて、省エネモードにあってもフォトセンサＲＳ１が原稿をセットされたのを検知すると、トリガとして機能しプリント可能の状態に復帰する。また、原稿台ガラス４１にもフォトセンサＲＳ２が設けられていて、自動原稿搬送装置４０の開放動作を検知すると、省エネモード中であってもトリガとして機能しプリント可能の状態に復帰する。
【００１７】
また人体検知センサも用いられ、オペレータの装置への接触又は近接によって省エネモードからプリント可能の状態に復帰することも行われる。
【００１８】
プリンタ部１０は駆動回転する感光体ドラム１１の周線部に帯電器１２、像露光器１３、現像器１４が配設されていて、帯電器１２によって一様帯電した感光体表面はメモリに記録された原稿Ｄの画像情報によって像露光器１３の像露光が行われ、感光体表面には潜像が形成される。該潜像は現像器１４によって現像がなされてトナー像となる。
【００１９】
給紙搬送部２０にはサイズを異にした転写紙をそれぞれ収納した複数の給紙トレイ２１が設けられていて、画像形成時には該当する用紙サイズの転写紙を収納した給紙トレイ２１からは、給紙ローラ２２によって１枚宛転写紙Ｐが所定の時間間隔ピッチＴで給紙される。
【００２０】
給紙される転写紙Ｐは、中間ローラ２３Ａ、２３Ｂ、２３Ｃ、２３Ｄによって給紙路に沿っての給送がなされ、レジストローラ２４によって感光体ドラム１１上のトナー像と同期がとられて給紙され、感光体ドラム１１上のトナー像は転写手段１５によって転写紙Ｐ上に転写される。トナー像を保持した転写紙Ｐは定着器１６によって加圧・加熱がなされて定着する。
【００２１】
片面プリントが選択されているときは、定着を終えて表面プリントされた転写紙Ｐは直進し、排紙ローラ２５に挟持されて機外の排紙トレイ２６上に排出される。
【００２２】
（２）　図２に示すのは、図１で示した画像形成装置の電気系の構成ブロック図である。構成としては、ＤＣ電源、制御基板１、制御基板２及び操作部から成っていて、ＡＣ電源からの入力は主電源スイッチＭＳＷを介してＤＣ電源に入力し、モータ、ソレノイド類を駆動する２４ＶＤＣ電源及びセンサ駆動用の５Ｖ電源等に変換して制御基板１及び制御基板２に出力している。
【００２３】
制御基板１にはモード切り替えを行い、操作部との間で情報の入出力を行うと共に制御基板２に設けられたＣＰＵ２との間で情報の授受を行い、かつ指示を行うＣＰＵ１が設けられている。
【００２４】
制御基板２には、給紙トレイ２１内の転写紙の有無を検知するフォトセンサや、給紙路を通過する転写紙の検出を行うフォトセンサ等のセンサＳ３からの情報を用いて、感光体ドラム１１その他の部材の駆動回転を行うモータ１１Ｍを制御し、定着器１６の加熱を行うヒータ１６Ｈを制御して画像形成制御を行うＣＰＵ２が設けられている。
【００２５】
操作部には操作部電源スイッチＳＥＳＷの他に省エネモード時に省エネモードであることを表示する液晶ＬＣＤ（Ｅ）、又は省エネモード時に点灯して省エネモードであることを表示する発光ダイオードＬＥＤ（Ｅ）が設けられていて、ＣＰＵ１によって制御されている。
【００２６】
制御基板１には、先に説明した復帰用のフォトセンサＲＳ１，ＲＳ２の電源をＯＮ／ＯＦＦするスイッチＳＷ１があって、ＣＰＵ１によってスイッチＳＷ１のＯＮ／ＯＦＦ制御がなされる。なお、復帰用のフォトセンサＲＳ１，ＲＳ２は１つの電源制御素子ＥＣＥで構成されている。
【００２７】
スイッチＳＷ２は制御基板２の電源をＯＮ／ＯＦＦするスイッチ素子であって、復帰用のフォトセンサＲＳ１，ＲＳ２以外のセンサＳ３をはじめとし画像形成関係の駆動電源をＯＮ／ＯＦＦすることができる。スイッチＳＷ２のＯＮ／ＯＦＦ制御はＣＰＵ１によって行われる。
【００２８】
（３）　本発明の画像形成装置は、従来行われている省エネモードとは異なったモードを設け、電力消費を削減すると共にセンサの特性劣化を防止するものであるが、本発明の説明に先立って従来行われている省エネモードについて説明する。
【００２９】
図３は従来行われている省エネモードの作動状態を示すタイムチャートである。プリント動作が途絶えてから予め設定されたＴ０時間が経過すると省エネモードに移行する。省エネモードではスイッチＳＷ２をＯＦＦとして制御基板２への通電を停止し、ヒータ１６Ｈへの加熱のための通電を停止或いは低下させ、画像形成機能を停止して省エネ動作が行われる。この際プリント動作時に原稿セットを検知していた復帰用のフォトセンサＲＳ１，ＲＳ２はそのままＯＮ状態を維持する。また、操作部に設けられて省エネモードであることを表示する発光ダイオードＬＥＤ（Ｅ）又は液晶ＬＣＤ（Ｅ）は点灯或いは表示状態としている。
【００３０】
フォトセンサＲＳ１又はＲＳ２が原稿セットを検知すると省エネモードは解除される。即ち、スイッチＳＷ２をＯＮとしてヒータ１６Ｈへの通電を行い、センサＳ３を作動状態としてプリント動作可能の状態に切り替わる、また省エネモードであることを表示していた発光ダイオードＬＥＤ（Ｅ）又は液晶ＬＣＤ（Ｅ）をＯＦＦとする。
【００３１】
（実施形態１）
本発明（請求項１）は、２つの指定時刻間は復帰用センサ電源をＯＦＦにして自動復帰を不可能にする省エネモードとは異なるモードを有するようにしたもので、図４は本実施形態の作動状態を示すタイムチャートである。
【００３２】
制御部であるＣＰＵ１は時計を内蔵していて、指定時刻Ａ（例えば午後７時）になったのを検知すると、予め休止モードとしてメモリされたプログラムによって休止モードへと移行するよう制御を行う。即ち、スイッチＳＷ２をＯＦＦとし制御基板２への通電を停止して画像形成機能を停止する。またスイッチＳＷ１をＯＦＦとし、フォトセンサＲＳ１，ＲＳ２はＯＦＦ状態とし、プリント可能の状態への復帰機能を有していない状態とする。省エネモードを表示する発光ダイオードＬＥＤ（Ｅ）又は液晶ＬＣＤ（Ｅ）はＯＦＦ状態とする。
【００３３】
指定時刻Ｂ（例えば午前７時）になったのをＣＰＵ１が検知すると、ＣＰＵ１は休止モードから省エネモードへと移行するよう制御を行う、即ちスイッチＳＷ１はＯＮされて動作状態となって、プリント可能の状態への復帰機能を有するようになる。また、発光ダイオードＬＥＤ（Ｅ）又は液晶ＬＣＤ（Ｅ）は点灯又は省エネ表示の状態となる。
【００３４】
時刻Ａないし時刻Ｂの休止モード間において、プリントを行いたい状況となったときは、オペレータは操作部電源スイッチＳＥＳＷを押釦することによって休止モードは解除されプリント可能の状態に復帰する。
【００３５】
上記説明で、指定時刻Ａ及び指定時刻Ｂは固定されたものではなく、例えば操作部のテンキー等を用いて変更可能となっていて、使用状況に応じてユーザによって変更することが行われる。
【００３６】
かかる制御が行われることによって、省エネ効果に加えてセンサの動作時間を短くする効果も生じることとなる。
【００３７】
（実施形態２）
本発明（請求項４）は、省エネモードから一定時間以上ユーザのアクセスがない時に復帰用センサ電源をＯＦＦにして自動復帰を不可能にする省エネモードとは異なるモードを有するようにしたもので、図５は本実施形態の動作状態を示すタイムチャートである。
【００３８】
制御部であるＣＰＵ１は計時手段を内蔵していて、省エネモードとなってから一定時間Ｔ１（例えば３０分）経過した時は予め休止モードとしてメモリされたプログラムによって休止モードに移行するよう制御を行う。即ちスイッチＳＷ２はＯＦＦ状態を維持してプリンタへの非通電状態を継続し、スイッチＳＷ１はＯＦＦされてフォトセンサＲＳ１，ＲＳ２はＯＦＦ状態とし、プリント可能の状態への復帰機能を有していない状態とする。また省エネモードを表示する発光ダイオードＬＥＤ（Ｅ）又は液晶ＬＣＤ（Ｅ）はＯＦＦ状態とする。
【００３９】
プリントを行いたい状況となったときは、オペレータは操作部電源スイッチＳＥＳＷを押釦することによってプリント可能の状態へと移行する。即ち、スイッチＳＷ２はＯＮされてプリンタへ通電状態となり、フォトセンサＲＳ１，ＲＳ２はＯＮの動作状態へ切り替わる。
【００４０】
上記説明で、一定時間Ｔ１は固定されたものではなく、例えば操作部のテンキー等を用いて変更可能となっていて、使用状況に応じてユーザによって変更することが行われる。
【００４１】
かかる制御が行われることによって、省エネ効果に加えてセンサの動作時間を短くする効果も生じることとなる。
【００４２】
（実施形態３）
本発明（請求項７）は、省エネモード時には復帰用センサの応答性を落とし、復帰用センサ電源を間欠して動作させるようにしたもので、図６は本実施形態の作動状態を示すタイムチャートである。
【００４３】
制御部であるＣＰＵ１は計時手段を内蔵していて、プリント動作が途絶えてから予め設定されたＴ０時間が経過したのを検知すると、予め省エネモードとしてメモリされていたプログラムによって省エネに移行するよう制御を行う。即ち、スイッチＳＷ２をＯＦＦとし、制御基板２への通電を停止し、ヒータ１６Ｈへの加熱のための通電を停止或いは低下させ、画像形成機能を停止する。また、動作状態にあったフォトセンサＲＳ１，ＲＳ２は間欠して動作する状態、間欠による電源のＯＦＦ／ＯＮは例えば１〜２ｓｅｃ毎に数百Ｍｓ間電源をＯＮするよう共通の電源制御素子ＥＣＥへの制御が行われる。省エネモードを表示する発光ダイオードＬＥＤ（Ｅ）又は液晶ＬＣＤ（Ｅ）は点灯又は表示状態とする。
【００４４】
間欠動作状態にあるフォトセンサＲＳ１，ＲＳ２の応答がやや遅れるが原稿セットを検知すると、ＣＰＵ１は省エネモードを解除してプリント可能の状態とする。即ち、スイッチＳＷ２をＯＮとしてヒータ１６Ｈへの通電を行い、センサＳ３を作動状態として、プリント動作可能の状態に切り替わる。なおフォトセンサＲＳ１，ＲＳ２に応答があったときは、ブザー音又は表示光等によってプリント動作可能の状態となったことを表示することも行われる。省エネモードを表示する発光ダイオードＬＥＤ（Ｅ）又は液晶ＬＣＤ（Ｅ）はＯＦＦ状態とする。
【００４５】
かかる制御が行われることによって、省エネ効果に加えてセンサの動作時間を短くする効果も生じることとなる。
【００４６】
（実施形態４）
本発明（請求項８）は、２つの指定時刻間は復帰用センサの応答性を落とし、復帰用センサ電源を間欠して動作させるモードを有するようにしたもので、図７は本実施形態の作動状態を示すタイムチャートである。
【００４７】
制御部であるＣＰＵ１は時計を内蔵していて、指定時刻Ａ（例えば午後７時）になったのを検知すると、予め半休止モードとしてメモリされたプログラムによって半休止モードへと移行するよう制御を行う。即ち、スイッチＳＷ２をＯＦＦとし制御基板２への通電を停止して画像形成機能を停止する。また動作状態にあったフォトセンサＲＳ１，ＲＳ２は間欠して動作する状態とする。具体的にはフォトセンサＲＳ１，ＲＳ２の共通の電源制御素子ＥＣＥに対して例えば１〜２ｓｅｃ毎に数百Ｍｓ間電源をＯＮすることが行われる。また省エネモードを表示する発光ダイオードＬＥＤ（Ｅ）又は液晶ＬＣＤ（Ｅ）はＯＦＦ状態とする。
【００４８】
指定時刻Ｂ（例えば午前１時）になったのをＣＰＵ１が検知すると、ＣＰＵ１は間欠動作状態にあったフォトセンサＲＳ１，ＲＳ２を連続した動作状態として、省エネモードに移行する。
【００４９】
時刻Ａないし時刻Ｂの間に間欠動作状態にあるフォトセンサＲＳ１，ＲＳ２が原稿セットを検知すると、ＣＰＵ１はスイッチＳＷ２をＯＮとしてプリント動作可能の状態に切り替わる、また、間欠動作状態にあったフォトセンサＲＳ１，ＲＳ２は連続した動作状態に切り替わるよう制御がなされる。
【００５０】
上記説明で、指定時刻Ａ及び指定時刻Ｂは固定されたものではなく、例えば操作部のテンキー等を用いて変更可能となっていて、使用状況に応じてユーザによって変更することが行われる。
【００５１】
かかる制御が行われることによって、省エネ効果に加えてセンサの動作時間を短くする効果も生じることとなる。
【００５２】
（実施形態５）
本発明（請求項１１）は、省エネモードから一定時間以上ユーザのアクセスがない時に復帰用センサの応答性を落とし、復帰用センサ電源を間欠して動作させるモードを有するようにしたもので、図８は本実施形態の作動状態を示すタイムチャートである。
【００５３】
制御部であるＣＰＵ１は計時手段を内蔵していて、省エネモードになってから一定時間Ｔ１（例えば３０分）経過した時は予め半休止モードとしてメモリされたプログラムによって半休止モードに移行する制御を行う。即ちスイッチＳＷ２はＯＦＦ状態を維持してプリンタへの非通電状態を継続し、動作状態にあったフォトセンサＲＳ１，ＲＳ２は間欠して動作する状態とする。具体的にはフォトセンサＲＳ１，ＲＳ２の共通の電源制御素子ＥＣＥに対して例えば１〜２ｓｅｃ毎に数百Ｍｓ間電源をＯＮすることが行われる。また省エネモードを表示する発光ダイオードＬＥＤ（Ｅ）又は液晶ＬＣＤ（Ｅ）はＯＦＦ状態とする。
【００５４】
間欠動作状態にあるフォトセンサＲＳ１，ＲＳ２が原稿セットを検知すると、ＣＰＵ１はスイッチＳＷ２をＯＮとしてプリント動作可能の状態に切り替わる。また、間欠動作状態にあったフォトセンサＲＳ１，ＲＳ２は連続した動作状態に切り替わるよう制御がなされる。
【００５５】
上記説明で、一定時間Ｔ１は固定されたものではなく、例えば操作部のテンキー等を用いて変更可能となっていて、使用状況に応じてユーザによって変更することが行われる。
【００５６】
かかる制御が行われることによって、省エネ効果に加えてセンサの動作時間を短くする効果も生じることとなる。
【００５７】
【発明の効果】
本発明は何れも、プリント動作時以外での消費エネルギを極力減らすような制御を行うと共に、センサについて動作時間を低減するようにしてセンサがリユースを可能とするような使用状態としたものであって、経済性と環境問題についての対策として、従来の画像形成装置と較べて更に改善が行われることとなった。
【図面の簡単な説明】
【図１】画像形成装置の断面図。
【図２】画像形成装置の電気系の構成ブロック図。
【図３】省エネモードの作動状態を示すタイムチャート。
【図４】実施形態１の作動状態を示すタイムチャート。
【図５】実施形態２の作動状態を示すタイムチャート。
【図６】実施形態３の作動状態を示すタイムチャート。
【図７】実施形態４の作動状態を示すタイムチャート。
【図８】実施形態５の作動状態を示すタイムチャート。
【符号の説明】
ＲＳ１，ＲＳ２　フォトセンサ
ＬＥＤ（Ｅ）　発光ダイオード
ＬＣＤ（Ｅ）　液晶
ＳＷ１，ＳＷ２　スイッチ
ＳＥＳＷ　操作部電源スイッチ
ＥＣＥ　電源制御素子
【図１】
2004012962.tif 000003
【図２】
2004012962.tif 000004
【図３】
2004012962.tif 000005
【図４】
2004012962.tif 000006
【図５】
2004012962.tif 000007
【図６】
2004012962.tif 000008
【図７】
2004012962.tif 000009
【図８】
2004012962.tif 000010